(57)【要約】【課題】保護対象の動物を保護するために必要な保全地域を適切に推定することができる保全地域推定プログラム、保全地域推定方法および保全地域推定装置を提供する。【解決手段】保全地域推定プログラムは、コンピュータに、保護対象の動物種の入力を受け付け、保護対象の動物種の生息域および当該動物種の餌を示す情報を取得し、当該動物種の餌が動物を含む場合、餌となる動物種の生息域を示す情報をさらに取得させる。そして、保全地域推定プログラムは、コンピュータに、取得した保護対象の動物種の生息域および当該動物種の餌となる動物種の生息域に基づいて、保護対象の動物種を保護するために必要な保全地域を推定させる。【選択図】図１
2019120968.tif 000002
【特許請求の範囲】
【請求項１】
保護対象の動物種の入力を受け付け、
受け付けた前記動物種の生息域および餌を示す情報を取得し、
取得した前記動物種の餌を示す情報から、前記動物種の餌が動物を含むか否かを判定し、
前記動物種の餌が動物を含むと判定された場合、前記餌となる動物種の生息域を示す情報をさらに取得し、
取得した前記保護対象の動物種の生息域および前記動物種の餌となる動物種の生息域に基づいて、前記保護対象の動物種を保護するために必要な保全地域を推定する、
処理をコンピュータに実行させるための保全地域推定プログラム。
【請求項２】
前記保護対象の動物種を保護するために必要な保全地域の推定結果として、取得した前記保護対象の動物種の生息域および前記動物種の餌となる動物種の生息域を表示する、
処理をさらにコンピュータに実行させるための請求項１に記載の保全地域推定プログラム。
【請求項３】
前記表示する処理は、取得した前記保護対象の動物種の生息域および前記動物種の餌となる動物種の生息域を区別して表示する
ことを特徴とする請求項２に記載の保全地域推定プログラム。
【請求項４】
前記表示する処理は、前記保護対象の動物種の餌となる動物種が複数ある場合、前記保護対象の動物種を保護するために必要な保全地域の推定結果として、前記取得した前記保護対象の動物種の生息域および前記動物種の餌となる複数の動物種の生息域を表示する、
であることを特徴とする請求項２に記載の保全地域推定プログラム。
【請求項５】
前記保護対象の動物種の餌となる動物種の餌を示す情報を取得し、
前記餌となる動物種の餌が動物を含むか否かをさらに判定し、
前記餌となる動物種の餌が動物を含むと判定された場合、前記餌となる動物種の餌となる動物種の生息域を示す情報をさらに取得する、
処理をさらにコンピュータに実行させ、
前記推定する処理は、取得した前記保護対象の動物種の生息域、前記動物種の餌となる動物種の生息域、および、前記餌となる動物種の餌となる動物種の生息域を示す情報に基づいて、前記保護対象の動物種を保護するために必要な保全地域を推定する、
ことを特徴とする請求項１に記載の保全地域推定プログラム。
【請求項６】
前記動物種の生息域は、所定の地域の植生の分布を示すデータと、前記動物種の生息に適した植生を示す情報とに基づき算出された前記動物種の生息可能域である、
ことを特徴とする請求項１に記載の保全地域推定プログラム。
【請求項７】
前記動物種の生息域は、所定の地域の地形を示すデータと、前記動物種の生息に適した地形を示す情報とに基づき算出された前記動物種の生息可能域である、
ことを特徴とする請求項１に記載の保全地域推定プログラム。
【請求項８】
前記動物種の生息域は、所定の地域の植生の分布および地形を示すデータと、前記動物種の生息に適した植生および地形を示す情報とに基づき算出された、前記動物種の複数の生息可能域を連結させた領域である、
ことを特徴とする請求項１に記載の保全地域推定プログラム。
【請求項９】
保護対象の動物種の入力を受け付け、
受け付けた前記動物種の生息域および餌を示す情報を取得し、
取得した前記動物種の餌を示す情報から、前記動物種の餌が動物を含むか否かを判定し、
前記動物種の餌が動物を含むと判定された場合、前記餌となる動物種の生息域を示す情報をさらに取得し、
取得した前記保護対象の動物種の生息域および前記動物種の餌となる動物種の生息域に基づいて、前記保護対象の動物種を保護するために必要な保全地域を推定する、
処理をコンピュータが実行することを特徴とする保全地域推定方法。
【請求項１０】
保護対象の動物種の入力を受け付ける受付部と、
受け付けた前記動物種の生息域および餌を示す情報を取得する第１の取得部と、
取得した前記動物種の餌を示す情報から、前記動物種の餌が動物を含むか否かを判定する判定部と、
前記判定部により前記動物種の餌が動物を含むと判定された場合、前記餌となる動物種の生息域を示す情報をさらに取得する第２の取得部と、
取得した前記保護対象の動物種の生息域および前記動物種の餌となる動物種の生息域に基づき、前記保護対象の動物種を保護するために必要な保全地域を推定する推定部と、
を有することを特徴とする保全地域推定装置。
【発明の詳細な説明】
【技術分野】
【０００１】
本発明は、保全地域推定プログラム、保全地域推定方法および保全地域推定装置に関する。
【背景技術】
【０００２】
従来、保護対象の動物にとって所定の地域が生息に適しているか否かを、その動物の餌や住処、天敵の有無や気候等の情報を用いたＨＳＩ（Habitat  Suitability  Index、生息環境適性指数）モデルを用いて、レベル分けする技術がある。このような技術を用いることで、各地域が保護対象の動物にとってどの程度生息に適した地域かを知ることができる。その結果、保護対象の動物を保護するために必要な保全地域を推定することができる。
【先行技術文献】
【特許文献】
【０００３】
【特許文献１】特開２００３−２７４７８９号公報
【発明の概要】
【発明が解決しようとする課題】
【０００４】
しかしながら、保護対象の動物の餌となる生物や住処となる環境は、周囲の環境の影響を受けて変化する可能性が高い。したがって、上記の技術により保護対象の動物を保護するために必要な保全地域を推定したとしても、周囲の環境の変化があると、保全地域も変化してしまう可能性がある。
【０００５】
一つの側面では、保護対象の動物を保護するために必要な保全地域を適切に推定することができる保全地域推定プログラム、保全地域推定方法および保全地域推定装置を提供することにある。
【課題を解決するための手段】
【０００６】
一つの態様では、保全地域推定プログラムは、以下の処理をコンピュータに実行させる。すなわち、保全地域推定プログラムは、コンピュータに、保護対象の動物種の入力を受け付け、受け付けた前記動物種の生息域および餌を示す情報を取得する処理を実行させる。また、保全地域推定プログラムは、コンピュータに、取得した前記動物種の餌を示す情報から、前記動物種の餌が動物を含むか否かを判定し、前記動物種の餌が動物を含むと判定された場合、前記餌となる動物種の生息域を示す情報をさらに取得させる。さらに、保全地域推定プログラムは、コンピュータに、取得した前記保護対象の動物種の生息域および前記動物種の餌となる動物種の生息域に基づいて、前記保護対象の動物種を保護するために必要な保全地域を推定させる。
【発明の効果】
【０００７】
一つの側面として、保護対象の動物を保護するために必要な保全地域を適切に推定することができる。
【図面の簡単な説明】
【０００８】
【図１】図１は、実施例１の推定装置の構成の一例を示すブロック図である。
【図２】図２は、フクロウの保全地域の抽出に用いる植生情報の一例を示す図である。
【図３】図３は、生息適性環境情報の一例を示す図である。
【図４】図４は、生態情報の一例を示す図である。
【図５】図５は、フクロウ、ネズミ、オコジョおよびウサギの植生群ごとの生息区分の一例を示す図である。
【図６】図６は、フクロウの保全地域の抽出の一例を示す図である。
【図７】図７は、実施例１の推定装置の処理手順の一例を示すフローチャートである。
【図８】図８は、餌となる動物種の生息可能域を抽出する処理の一例を示すフローチャートである。
【図９】図９は、実施例２の推定装置の処理手順の一例を示すフローチャートである。
【図１０】図１０は、オコジョの保全地域の抽出の一例を示す図である。
【図１１】図１１は、オコジョの保全地域の抽出に用いる植生情報の一例を示す図である。
【図１２】図１２は、保全地域推定プログラムを実行するコンピュータの一例を示す図である。
【発明を実施するための形態】
【０００９】
以下、図面に基づいて、本願の開示する保全地域推定プログラム、保全地域推定方法および保全地域推定装置の実施例を詳細に説明する。なお、本実施例により、開示技術が限定されるものではない。また、以下の実施例は、矛盾しない範囲で適宜組みあわせてもよい。
【実施例１】
【００１０】
図１は、実施例１の推定装置の構成の一例を示すブロック図である。図１に示す推定装置１００は、入力された地域における保護対象の動物種の保全地域を推定する情報処理装置の一例である。すなわち、推定装置１００は、保全地域推定装置の一例である。推定装置１００は、例えば、据置型や可搬型のパーソナルコンピュータを用いることができる。また、推定装置１００は、可搬型の端末としては、上記の可搬型のパーソナルコンピュータの他にも、例えば、タブレット端末を採用することもできる。
【００１１】
推定装置１００は、保護対象の動物種を保護するために必要な保全地域を推定する。例えば、推定装置１００は、各地域の植生情報および地形情報、各動物種の餌となる動植物や生息に適した地域を示す情報（生態情報）を取得する。そして、推定装置１００は、取得した情報に基づき、保護対象の動物種の生息域および当該動物種の餌となる動物種の生息域を求め、当該生息域を合せた領域を保護対象の動物種を保護するために必要な保全地域として推定する。
【００１２】
次に、推定装置１００の構成について説明する。図１に示すように、推定装置１００は、通信部１１０と、表示部１１１と、操作部１１２と、入出力部１１３と、記憶部１２０と、制御部１３０とを有する。なお、推定装置１００は、図１に示す機能部以外にも既知のコンピュータが有する各種の機能部、例えば各種の入力デバイスや音声出力デバイス等の機能部を有することとしてもかまわない。
【００１３】
通信部１１０は、例えば、ＮＩＣ（Network  Interface  Card）等によって実現される。通信部１１０は、図示しないネットワークを介して他の情報処理装置と有線または無線で接続され、他の情報処理装置との間で情報の通信を司る通信インタフェースである。通信部１１０は、例えば、他のサーバから、所定の地域の植生情報および地形情報、生態情報１２３等を受信する。そして、通信部１１０は、受信した各情報を制御部１３０に出力する。
【００１４】
表示部１１１は、各種情報を表示するための表示デバイスである。表示部１１１は、例えば、表示デバイスとして液晶ディスプレイ等によって実現される。表示部１１１は、制御部１３０から入力された表示画面等の各種画面を表示する。
【００１５】
操作部１１２は、推定装置１００のユーザから各種操作を受け付ける入力デバイスである。操作部１１２は、例えば、入力デバイスとして、キーボードやマウス等によって実現される。操作部１１２は、ユーザによって入力された操作を操作情報として制御部１３０に出力する。なお、操作部１１２は、入力デバイスとして、タッチパネル等によって実現されるようにしてもよく、表示部１１１の表示デバイスと、操作部１１２の入力デバイスとは、一体化されるようにしてもよい。
【００１６】
入出力部１１３は、例えば、メモリカードＲ／Ｗ（Reader/Writer）である。入出力部１１３は、通信部１１０で受信する植生情報、地形情報、生態情報等の代わりに、メモリカードに記憶された植生情報、地形情報、生態情報等を読み出して制御部１３０に出力するようにしてもよい。また、入出力部１１３は、例えば、制御部１３０から出力された保護対象の動物種の保全地域の推定結果をメモリカードに記憶する。なお、メモリカードとしては、例えばＳＤメモリカード等を用いることができる。
【００１７】
記憶部１２０は、例えば、ＲＡＭ（Random  Access  Memory）、フラッシュメモリ（Flash  Memory）等の半導体メモリ素子、ハードディスクや光ディスク等の記憶装置によって実現される。記憶部１２０は、制御部１３０により生成された植生地形情報１２１と、生息適性環境情報１２２と、生態情報１２３とを記憶する。また、記憶部１２０は、制御部１３０での処理に用いる情報を記憶する。
【００１８】
植生地形情報１２１は、保全対象の地域の植生の分布および当該地域の地形を示した情報である。
【００１９】
この植生地形情報１２１は、例えば、図２に示すように、保全対象の地域の地形（例えば、岩角地、通路等）を示す地図上に、当該地域における植生の分布（例えば、カラマツ植林、トドマツ植林等の分布）を示した情報である。図２に示す植生地形情報１２１は、樹種や針葉樹、広葉樹といった植生の分類に基づいて塗り分けられている。
【００２０】
図１の説明に戻って、生息適性環境情報１２２は、保護対象の動物種が生息するのに適した環境（例えば、当該動物種の食性、生息域等）を示した情報である。
【００２１】
この生息適性環境情報１２２は、例えば、図３に示すように、保護対象の動物種の食性および生息域を示した情報である。食性は、当該動物種の餌となる動物や植物の種類を示した情報である。食性は、例えば、当該動物種（例えば、フクロウ）の餌となる動物（例えば、ネズミ、モグラ、ウサギ、リス等）を示した情報である。生息域は、当該動物種がどのような地域に生息するかを示した情報である。生息域は、例えば、当該動物種（例えば、フクロウ）が生息する地形（例えば、平地から山地の河川、湖沼近くの林、海岸近くの森林）や植生（例えば、営巣樹木：広葉樹（ミズナラ、ハルニレ）の大径木）を示した情報である。この生息適性環境情報１２２は、例えば、生態情報１２３等を参照して生成される。
【００２２】
生態情報１２３は、各動物種の生態を示した情報である。この生態情報１２３は、例えば、図４に示すように、動物種ごとに、当該動物種の食性、体重、生息密度、生息面積（生息必要面積）等を示した情報である。
【００２３】
図１の説明に戻って、制御部１３０は、例えば、ＣＰＵ（Central  Processing  Unit）やＭＰＵ（Micro  Processing  Unit）等によって、内部の記憶装置に記憶されているプログラムがＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現されるようにしてもよい。
【００２４】
制御部１３０は、受付部１３１と、生成部１３２と、取得部１３３と、判定部１３４と、推定部１３５と、出力制御部１３６とを有し、以下に説明する情報処理の機能や作用を実現または実行する。なお、制御部１３０の内部構成は、図１に示した構成に限られず、後述する情報処理を行う構成であれば他の構成であってもよい。
【００２５】
受付部１３１は、例えば、ユーザによる操作部１１２での操作に基づいて、保全対象となる地域および保護対象の動物種の入力を受け付ける。受付部１３１は、受け付けた地域および動物種を生成部１３２に出力する。
【００２６】
なお、受付部１３１は、ユーザによる操作部１１２での操作に代えて、記録媒体に記録した保全対象となる地域および保護対象の動物種を、入出力部１１３を介して入力を受け付けてもよい。また、受付部１３１は、ユーザによる操作部１１２での操作に代えて、図示しない端末装置等から通信部１１０を介して保全対象となる地域および保護対象の動物種の入力を受け付けてもよい。
【００２７】
生成部１３２は、植生地形情報１２１および生息適性環境情報１２２を生成する。生成部１３２は、例えば、通信部１１０を介して、図示しない他のサーバの植生情報、地形情報および各動物の生態情報等を参照して、保全対象の地域の植生地形情報１２１および保護対象の動物種の生息適性環境情報１２２を生成する。そして、生成部１３２は、植生地形情報１２１および生息適性環境情報１２２を記憶部１２０に記憶する。
【００２８】
取得部１３３は、保全対象の動物種の生息域および餌を示す情報を取得する。具体的には、取得部１３３は、生息適性環境情報１２２から、保護対象の動物種の生息域および食性を示す情報を取得する。次に、取得部１３３は、植生地形情報１２１に示される保全対象の地域の植生や地形と、当該動物種の生息域を示す情報とに基づき、当該動物種の生息に適した領域（生息可能域）を求める。なお、取得部１３３は、第１の取得部および第２の取得部の一例である。
【００２９】
一例を挙げる。例えば、保護対象の動物種がフクロウである場合、取得部１３３は、生息適性環境情報１２２（図３参照）に示されるフクロウの生息域を示す情報（例えば、「平地から山地の河川」等）を抽出する。そして、取得部１３３は、抽出したフクロウの生息域を示す情報を参照して、植生地形情報１２１に示される地域を、フクロウの生息に適した生息地、生息に適さない非生息地、生息には適していないが移動に利用できる通路の３つに区分する。
【００３０】
例えば、取得部１３３は、図５に示すように、フクロウについて、植生地形情報１２１に含まれる植生群落名ごとに、当該植生群落がフクロウの生息地か、非生息地か、通路かの生息区分を示した情報を生成する。そして、取得部１３３は、植生地形情報１２１に示される地域のうち、通路により連結されるフクロウの生息地の合計面積（生息地面積）を算出し、算出した面積がフクロウの生息必要面積以上か否かを判定する。
【００３１】
ここでのフクロウの生息必要面積は、例えば、フクロウの生息密度Ｄ（１／ｈａ）の逆数（１／Ｄ）により算出することができる。なお、フクロウ等の雑食の鳥類の生息密度Ｄは、体重Ｗを用いて、以下の式（１）により算出することができる（R.  H.  Peters,  (1983).  The  ecological  implications  of  body  size,  Cambridge  studies  in  ecology,  P295参照）。なお、フクロウの生息密度Ｄや、体重Ｗは、例えば、生態情報１２３等に示される値を用いる。
【００３２】
Ｄ＝１．８Ｗ−０．５２            （１）
【００３３】
例えば、フクロウの体重Ｗが１ｋｇとすれば、フクロウ１羽の生息必要面積（１／Ｄ）は、５．６×１０５ｍ２／１羽である。したがって、取得部１３３は、通路により連結されるフクロウの生息地の面積が５．６×１０５ｍ２以上であれば、保全対象となる地域にフクロウが生息すると判定する。そして、取得部１３３は、植生地形情報１２１におけるフクロウの生息地をフクロウの生息可能域として抽出する。一方、通路により連結されるフクロウの生息地の面積が５．６×１０５ｍ２未満であれば、取得部１３３は、保全対象となる地域にフクロウは生息しないと判定し、植生地形情報１２１におけるフクロウの生息地をフクロウの生息可能域として抽出しない。
【００３４】
なお、上記の保護対象の動物種の生息地面積は、通路で連結される当該動物種の生息地の合計面積であってもよいし、点在する当該動物種の生息地の合計面積であってもよい。
【００３５】
判定部１３４は、取得部１３３が取得した保護対象の動物種の餌を示す情報から、当該動物種の餌が動物を含むか否かを判定する。例えば、取得部１３３が取得したフクロウの餌を示す情報（図３に示す生息適性環境情報１２２におけるフクロウの食性の情報）には、動物である「哺乳類、鳥類、昆虫」が記載されるので、判定部１３４はフクロウの餌が動物を含むと判定する。
【００３６】
そして、判定部１３４において、保護対象の動物種の餌が動物を含むと判定された場合、取得部１３３は、餌となる動物種についても、餌となる動物種の生息域を示す情報を取得する。具体的には、取得部１３３は、植生地形情報１２１に示される植生や地形と、当該餌となる動物種の生息域を示す情報に基づき、当該餌となる動物種の生息に適した領域（生息可能域）を求める。
【００３７】
例えば、保護対象の動物種の餌がネズミである場合、取得部１３３は、ネズミの生息適性環境情報１２２（図３参照）から、ネズミの生息域を示す情報（例えば、森林、原野）を取得する。そして、取得部１３３は、植生地形情報１２１に示される植生や地形と、ネズミの生息域を示す情報（例えば、森林、原野）とに基づき、ネズミの生息に適した領域（生息可能域）を求める。
【００３８】
例えば、取得部１３３は、植生地形情報１２１に示される植生や地形と、ネズミの生息域を示す情報（例えば、森林、原野）とを参照して、植生地形情報１２１に示される地域を、３つに区分する。この３つの区分は、ネズミの生息に適した生息地、生息に適さない非生息地、生息には適していないが移動に利用できる通路である。
【００３９】
例えば、取得部１３３は、図５に示すように、ネズミについて、植生地形情報１２１に含まれる植生群落名ごとに、当該植生群落がネズミの生息地か、非生息地か、通路かの生息区分を示した情報を生成する。そして、取得部１３３は、植生地形情報１２１に示される地域のうち、通路により連結されるネズミの生息地の合計面積（生息地面積）が、ネズミの生息必要面積以上か否かを判定する。
【００４０】
ここでのネズミの生息必要面積も、例えば、ネズミの生息密度Ｄ（１／ｈａ）の逆数（１／Ｄ）により算出される。なお、ネズミ等の雑食動物の生息密度Ｄは、体重Ｗを用いて、以下の式（２）により算出することができる（R.  H.  Peters,  (1983).  The  ecological  implications  of  body  size,  Cambridge  studies  in  ecology,  P294参照）。なお、ネズミの生息密度Ｄや、体重Ｗは、例えば、生態情報等に示される値を用いる。
【００４１】
Ｄ＝１３Ｗ−０．９４            （２）
【００４２】
例えば、ネズミの体重Ｗが０．４ｋｇとすれば、ネズミ１匹の生息必要面積（１／Ｄ）は、３．３×１０４ｍ２／１匹である。したがって、取得部１３３は、通路により連結されるフクロウの生息地の面積が３．３×１０４ｍ２以上であれば、保全対象となる地域にネズミが生息すると判定する。そして、取得部１３３は、植生地形情報１２１におけるネズミの生息地をネズミの生息可能域として抽出する。一方、通路により連結されるネズミの生息地の面積が３．３×１０４ｍ２未満であれば、取得部１３３は、保全対象となる地域にネズミは生息しないと判定し、植生地形情報１２１におけるネズミの生息地をネズミの生息可能域として抽出しない。
【００４３】
なお、上記の餌の動物種（例えば、ネズミ）の生息地面積も、通路で連結される当該動物種の生息地の合計面積であってもよいし、点在する当該動物種の生息地の合計面積であってもよい。
【００４４】
取得部１３３は、上記のような生息可能域の抽出処理を、保護対象の動物種の餌となる動物種それぞれについて実行する。例えば、取得部１３３は、保護対象の動物種がフクロウである場合、フクロウの餌となる動物種（例えば、ネズミ、モグラ、ウサギ、リス、モモンガ、ハト、スズメ等）それぞれについて生息可能域を抽出する。
【００４５】
推定部１３５は、取得部１３３により抽出された保護対象の動物種の生息可能域および当該動物種の餌となる動物種の生息可能域に基づいて、保護対象の動物種を保護するために必要な保全地域を推定する。例えば、推定部１３５は、取得部１３３により抽出された保護対象の動物種の生息可能域および当該動物種の餌となる動物種の生息可能域を、保護対象の動物種を保護するために必要な保全地域として推定する。
【００４６】
例えば、推定部１３５は、図６に示すように、取得部１３３により抽出されたフクロウの生息可能域（（１））と、フクロウの餌となるネズミの生息可能域（（２））とを重ね合わせた領域（（３））を、フクロウを保護するために必要な保全地域として推定する。
【００４７】
出力制御部１３６は、推定部１３５により推定された保全地域の出力制御を行う。具体的には、出力制御部１３６は、推定部１３５により推定された保全地域を表示部１１１により画面表示する。このとき、出力制御部１３６は、抽出された保全地域の画面表示において、保護対象の動物種の生息可能域と当該動物種の餌となる動物種の生息可能域とを区別して表示してもよい。さらに、出力制御部１３６は、抽出された保全地域の画面表示において、動物種の餌となる動物種ごとに生息可能域を区別して表示してもよい。すなわち、出力制御部１３６は、表示制御部の一例である。
【００４８】
次に、図７を用いて、実施例１の推定装置１００の動作について説明する。図７は、実施例１の推定装置１００の処理手順の一例を示すフローチャートである。
【００４９】
まず、受付部１３１は、ユーザから保護対象の動物種の入力を受け付ける（ステップＳ１１）。受付部１３１は、受け付けた動物種を生成部１３２に出力する。生成部１３２は、例えば、他のサーバの各動物の生態情報等を参照して、保護対象の動物種の生息適性環境情報１２２を生成する（ステップＳ１２）。
【００５０】
また、受付部１３１は、ユーザから保全対象の地域の入力を受け付ける（ステップＳ１３）。受付部１３１は、受け付けた地域を生成部１３２に出力する。生成部１３２は、例えば、他のサーバの植生情報、地形情報等を参照して、保全対象の地域の植生地形情報１２１を生成する（ステップＳ１４）。
【００５１】
取得部１３３は、生息適性環境情報１２２に示される保護対象の動物種の生息域の情報を取得し、植生地形情報１２１に示される各地域を、当該動物種の生息地、通路、非生息地に変換する（ステップＳ１５）。取得部１３３は、ステップＳ１５の変換結果を用いて、当該動物種の生息地面積を算出する（ステップＳ１６）。例えば、取得部１３３は、ステップＳ１５の変換結果を用いて、通路により連結される当該動物種の生息地の合計面積を当該動物種の生息地面積とする。
【００５２】
取得部１３３は、ステップＳ１６で算出した生息地面積が、保護対象の動物種の生息必要面積以上であれば（ステップＳ１７：肯定）、保護対象の動物種の生息可能域を抽出する（ステップＳ１８）。つまり、取得部１３３は、植生地形情報１２１における保護対象の動物種の生息地を、当該動物種の生息可能域として抽出する。
【００５３】
一方、取得部１３３は、ステップＳ１６で算出した生息地面積が、保護対象の動物種の生息必要面積未満であれば（ステップＳ１７：否定）、保護対象の動物種は生息できないと判定する。そして、取得部１３３は、植生地形情報１２１における当該動物種の生息地を、当該動物種の生息可能域として抽出しない。
【００５４】
また、ステップＳ１８の後、取得部１３３は、生息適性環境情報１２２から、保護対象の動物種の食性を示す情報を取得する。そして、判定部１３４は、保護対象の動物種の食性を示す情報に基づき、保護対象の動物種の餌が動物を含むか否かを判定する（ステップＳ１９）。判定部１３４が、保護対象の動物種の餌は動物を含むと判定した場合（ステップＳ１９：肯定）、取得部１３３は、保護対象の動物種の餌となる動物種の生息可能域を抽出する（ステップＳ２０）。このステップＳ２０の処理の詳細は、後記する。一方、判定部１３４が、保護対象の動物種の餌が動物を含まないと判定した場合（ステップＳ１９：否定）、ステップＳ２２へ進む。
【００５５】
ステップＳ２０の後、推定部１３５は、保護対象の動物種の保全地域として、ステップＳ２０で抽出した保護対象の動物種および餌となる動物種の生息可能域を抽出する（ステップＳ２１）。そして、出力制御部１３６は、ステップＳ２１で抽出された生息可能域を表示部１１１に出力して表示する（ステップＳ２２）。
【００５６】
次に、図８を用いて、図７のステップＳ２０の処理（保護対象の動物種の餌となる動物種の生息可能域を抽出する処理）を説明する。
【００５７】
生成部１３２は、例えば、他のサーバの各動物の生態情報等を参照して、餌となる動物種の生息適性環境情報１２２を生成する（ステップＳ２０１）。そして、取得部１３３は、生息適性環境情報１２２に示される、当該餌となる動物種の生息域の情報を取得し、植生地形情報１２１に示される各地域を、当該餌となる動物種の生息地、通路、非生息地に変換する（ステップＳ２０２）。取得部１３３は、ステップＳ２０２の変換結果を用いて、当該餌となる動物種の生息地面積を算出する（ステップＳ２０３）。例えば、取得部１３３は、ステップＳ２０２の変換結果を用いて、通路により連結される当該餌となる動物種の生息地の合計面積を当該餌となる動物種の生息地面積とする。
【００５８】
取得部１３３は、ステップＳ２０３で算出した生息地面積が、餌となる動物種の生息必要面積以上であれば（ステップＳ２０４：肯定）、餌となる動物種の生息可能域を抽出する（ステップＳ２０５）。つまり、取得部１３３は、植生地形情報１２１における保護対象の動物種の生息地を、当該動物種の生息可能域として抽出する。
【００５９】
一方、取得部１３３は、ステップＳ２０３で算出した生息地面積が、餌となる動物種の生息必要面積未満であれば（ステップＳ２０４：否定）、餌となる動物種の生息可能域を抽出しない。つまり、取得部１３３は、植生地形情報１２１における保護対象の動物種の生息地を、当該動物種の生息可能域として抽出しない。
【００６０】
なお、保護対象の動物種の餌となる動物種が複数ある場合、推定装置１００は、餌となる動物種それぞれについて図８に示す処理を実行する。
【００６１】
このようにすることで、推定装置１００は、保護対象の動物種の餌となる動物種の生息可能域を抽出することができる。
【００６２】
このように、推定装置１００は、保護対象の地域の植生や地形、保護対象の動物種の生息適性環境に基づき、保護対象の動物種の保護に必要な保全地域を推定する。また、推定装置１００は、保護対象の動物種の生息可能域に加え、保護対象の動物種の餌となる動物種の生息可能域も、保護対象の動物種の保護に必要な保全地域として推定する。その結果、推定装置１００は、例えば、環境の変化の影響により、保護対象の動物種の餌となる動物や住処となる環境が変化した場合であっても、保護対象の動物種の保護に必要な保全地域を、適切に抽出することができる。これにより、例えば、保護対象の動物種が絶滅危惧種になる前の段階で保全策をとることができる。また、保護対象の動物種の保護に必要な保全地域を抽出するための調査の手間等を大幅に低減することができる。
【実施例２】
【００６３】
なお、生息適性環境情報１２２に、保護対象の動物種の生息に適した地形に関する情報は記載されているが、植生に関する情報は記載されていない場合もある。例えば、図３に示す生息適性環境情報１２２のように、オコジョの生息域は「山岳地帯」と記載され、オコジョの生息に適した植生等に関する情報は記載されていない場合もある。このような場合、推定装置１００は、生息適性環境情報１２２に示されるオコジョの生息に適した地形（「山岳地帯」）と、オコジョの保全対象となる地域の植生地形情報１２１（例えば、図１１参照）に示される地形情報とを参照し、オコジョの生息可能域を抽出する。この場合の推定装置１００を実施例２の推定装置１００として説明する。
【００６４】
図９を用いて、実施例２の推定装置１００の動作について説明する。図９は、実施例２の推定装置１００の処理手順の一例を示すフローチャートである。ここでは、保護対象の動物種がオコジョである場合を例に説明する。
【００６５】
図９のステップＳ３１〜ステップＳ３４の処理は、図７のステップＳ１１〜ステップＳ１４の処理と同様なので、説明を省略し、図９のステップＳ３５から説明する。
【００６６】
取得部１３３は、生息適性環境情報１２２（図３参照）に示されるオコジョの生息域の情報（「山岳地帯」）を取得し、植生地形情報１２１に、オコジョが生息可能な地形（「山岳地帯」）が存在するか否かを判定する（ステップＳ３５）。ここで、取得部１３３が、植生地形情報１２１に、オコジョが生息可能な地形（「山岳地帯」）が存在すると判定した場合（ステップＳ３５：肯定）、保護対象の動物種（オコジョ）の生息可能域を抽出する（ステップＳ３６）。例えば、取得部１３３は、植生地形情報１２１に、標高１５００ｍ以上で、かつ、岩角地の地域が存在すれば、その地域をオコジョの生息可能域として抽出する。
【００６７】
一方、取得部１３３は、植生地形情報１２１に、オコジョが生息可能な地形（「山岳地帯」）は存在しないと判定した場合（ステップＳ３５：否定）、オコジョは生息できないと判定し、オコジョの生息可能域を抽出しない。
【００６８】
ステップＳ３６の後、取得部１３３は、生息適性環境情報１２２（図３参照）から、保護対象の動物種（オコジョ）の食性を示す情報を取得する。そして、判定部１３４は、保護対象の動物種（オコジョ）の食性を示す情報に基づき、保護対象の動物種（オコジョ）の餌が動物を含むか否かを判定する（ステップＳ３７）。判定部１３４が、保護対象の動物種（オコジョ）の餌が動物を含むと判定した場合（ステップＳ３７：肯定）、取得部１３３は、保護対象の動物種（オコジョ）の餌となる動物種（例えば、ウサギ）の生息可能域を抽出する（ステップＳ３８）。一方、判定部１３４が、保護対象の動物種（オコジョ）の餌が動物を含まないと判定した場合（ステップＳ３７：否定）、ステップＳ４０へ進む。
【００６９】
なお、図９のステップＳ３８の処理は、図８と同様なので詳細な説明を省略するが、オコジョの餌であるウサギの生息必要面積は、例えば、ウサギの生息密度Ｄ（１／ｈａ）の逆数（１／Ｄ）により算出することができる。なお、ウサギ等の草食動物の生息密度Ｄは、体重Ｗを用いて、以下の式（３）により算出することができる。なお、ウサギの生息密度Ｄや、体重Ｗは、例えば、生態情報１２３等に示される値を用いる。
【００７０】
Ｄ＝２１４Ｗ−０．６１            （３）
【００７１】
例えば、ウサギの体重Ｗが２．０ｋｇとすれば、ウサギ１匹の生息必要面積（１／Ｄ）は、７．１×１０３ｍ２／１匹である。したがって、取得部１３３は、通路により連結されるウサギの生息地の面積が７．１×１０３ｍ２以上であれば、保全対象となる地域にウサギが生息すると判定する。そして、取得部１３３は、植生地形情報１２１におけるウサギの生息地をウサギの生息可能域として抽出する。一方、通路により連結されるウサギの生息地の面積が７．１×１０３ｍ２未満であれば、取得部１３３は、保全対象となる地域にウサギは生息しないと判定し、植生地形情報１２１におけるウサギの生息地をウサギの生息可能域として抽出しない。
【００７２】
なお、上記のウサギの生息地面積は、通路で連結されるウサギの生息地の合計面積であってもよいし、点在するウサギの生息地の合計面積であってもよい。
【００７３】
図９のステップＳ３８の後、推定部１３５は、保全地域として、ステップＳ３８で抽出した保護対象の動物種（オコジョ）および餌となる動物種（例えば、ウサギ）の生息可能域を抽出する（ステップＳ３９）。例えば、推定部１３５は、図１０に示すように、取得部１３３により抽出されたオコジョの生息可能域（（１））と、オコジョの餌となるウサギの生息可能域（（２））とを重ね合わせた領域（（３））を、オコジョを保護するために必要な保全地域として抽出する。
【００７４】
そして、出力制御部１３６は、ステップＳ３９で抽出された保護対象の動物種（オコジョ）および餌となる動物種（例えば、ウサギ）の生息可能域を表示部１１１に出力して表示する（ステップＳ４０）。
【００７５】
このようにすることで、推定装置１００は、保護対象の動物種の生息に適した地形と、保護対象となる地域の地形とを参照し、保護対象の動物種の生息可能域を推定することができる。なお、推定装置１００は、保護対象の動物種の生息に適した植生と、保護対象となる地域の植生とを参照し、保護対象の動物種の生息可能域を推定してもよい。
【００７６】
また、推定装置１００は、保護対象の動物種（第１の動物種）の餌となる動物種（第２の動物種）に、餌となる動物種（第３の動物種）が存在する場合、保全地域として、第１の動物種、第２の動物種の他、第３の動物種の生息可能域とを合わせた領域を推定してもよい。また、推定装置１００は、上記のような餌となる動物種の探索を、当該動物種が草食動物になるまで繰り返し、探索の結果得られた動物種すべての生息可能域を合わせた領域を保全地域として推定してもよい。
【００７７】
さらに、推定装置１００が、保護対象の動物種の餌となる動物種の生息可能域を抽出する際、餌となる動物種の生息可能域から、保護対象の動物種の生息可能域の周辺に存在する地域を選択し、抽出してもよい。
【００７８】
［効果］
このような推定装置１００は、保護対象の動物種の入力を受け付け、受け付けた動物種の生息域および餌を示す情報を取得し、動物種の餌が動物を含むと判定された場合、餌となる動物種の生息域を示す情報をさらに取得する。そして、推定装置１００は、取得した保護対象の動物種の生息域および動物種の餌となる動物種の生息域に基づいて、保護対象の動物種を保護するために必要な保全地域を推定する。その結果、推定装置１００は、保護対象の動物種を保護するために必要な保全地域を適切に推定することができる。
【００７９】
また、推定装置１００は、保護対象の動物種を保護するために必要な保全地域の推定結果として、取得した保護対象の動物種の生息域および動物種の餌となる動物種の生息域を表示する。その結果、推定装置１００のユーザは、保護対象の動物種を保護するために必要な保全地域の推定結果を目視で確認しやすくなる。
【００８０】
また、推定装置１００は、取得した保護対象の動物種の生息域および動物種の餌となる動物種の生息域を区別して表示する。その結果、推定装置１００のユーザは、保護対象の動物種の生息域および動物種の餌となる動物種の生息域を区別して確認することができる。
【００８１】
また、推定装置１００は、保護対象の動物種の餌となる動物種が複数ある場合、当該複数の動物種の生息域を表示する。その結果、推定装置１００のユーザは、保護対象の動物種の餌となる動物種が複数ある場合でも、その複数の動物種の生息域を確認することができる。
【００８２】
また、推定装置１００は、保護対象の動物種の餌となる動物種について、その動物種の餌がさらに動物を含む場合、餌となる動物種の餌となる動物種の生息域も保全地域に含める。その結果、推定装置１００は、保護対象の動物種を保護するために必要な保全地域を適切に推定することができる。
【００８３】
また、推定装置１００は、保護対象の動物種、またはその餌となる動物種の生息可能域を求める際、保護対象の地域の植生情報と、当該動物種の生息に適した植生とを用いる。その結果、推定装置１００は、保護対象の地域の植生が変化した場合でも、これに応じ、保護対象の動物種、またはその餌となる動物種の生息可能域を求めることができる。
【００８４】
また、推定装置１００は、保護対象の動物種、またはその餌となる動物種の生息可能域を求める際、保護対象の地域の地形情報と、当該動物種の生息に適した地形とを用いる。その結果、推定装置１００は、保護対象の地域の地形に基づき、保護対象の動物種、またはその餌となる動物種の生息可能域を求めることができる。
【００８５】
推定装置１００は、保護対象の動物種、またはその餌となる動物種の生息可能域を求める際、当該動物種の複数の生息可能域を通路等により連結させた領域を用いる。その結果、推定装置１００は、保全対象となる地域に当該動物種が生息するか否かを精度よく判定することができる。
【００８６】
また、図示した各部の各構成要素は、必ずしも物理的に図示の如く構成されていることを要しない。すなわち、各部の分散・統合の具体的形態は図示のものに限られず、その全部または一部を、各種の負荷や使用状況等に応じて、任意の単位で機能的または物理的に分散・統合して構成することができる。例えば、受付部１３１と取得部１３３と判定部１３４とを統合してもよい。また、図示した各処理は、上記の順番に限定されるものでなく、処理内容を矛盾させない範囲において、同時に実施してもよく、順序を入れ替えて実施してもよい。
【００８７】
さらに、各装置で行われる各種処理機能は、ＣＰＵ（またはＭＰＵ、ＭＣＵ（Micro  Controller  Unit）等のマイクロ・コンピュータ）上で、その全部または任意の一部を実行するようにしてもよい。また、各種処理機能は、ＣＰＵ（またはＭＰＵ、ＭＣＵ等のマイクロ・コンピュータ）で解析実行されるプログラム上、またはワイヤードロジックによるハードウェア上で、その全部または任意の一部を実行するようにしてもよいことは言うまでもない。
【００８８】
ところで、上記の実施例で説明した各種の処理は、予め用意されたプログラムをコンピュータで実行することで実現できる。そこで、以下では、上記の実施例と同様の機能を有するプログラムを実行するコンピュータの一例を説明する。図１２は、保全地域推定プログラムを実行するコンピュータの一例を示す図である。
【００８９】
図１２に示すように、コンピュータ２００は、各種演算処理を実行するＣＰＵ２０１と、データ入力を受け付ける入力装置２０２と、モニタ２０３とを有する。また、コンピュータ２００は、記憶媒体からプログラム等を読み取る媒体読取装置２０４と、各種装置と接続するためのインタフェース装置２０５と、他の情報処理装置等と有線または無線により接続するための通信装置２０６とを有する。また、コンピュータ２００は、各種情報を一時記憶するＲＡＭ２０７と、ハードディスク装置２０８とを有する。また、各装置２０１〜２０８は、バス２０９に接続される。
【００９０】
ハードディスク装置２０８には、図１に示した受付部１３１と、生成部１３２と、取得部１３３と、判定部１３４と、推定部１３５と、出力制御部１３６と同様の機能を有する保全地域推定プログラムが記憶される。また、ハードディスク装置２０８には、植生地形情報１２１、生息適性環境情報１２２および、保全地域推定プログラムを実現するための各種データが記憶される。入力装置２０２は、例えば、コンピュータ２００のユーザから操作情報等の各種情報の入力を受け付ける。モニタ２０３は、例えば、コンピュータ２００のユーザに対して表示画面等の各種画面を表示する。インタフェース装置２０５は、例えば印刷装置等が接続される。通信装置２０６は、例えば、図１に示した通信部１１０と同様の機能を有し図示しないネットワークと接続され、図示しない他の情報処理装置と各種情報をやりとりする。
【００９１】
ＣＰＵ２０１は、ハードディスク装置２０８に記憶された各プログラムを読み出して、ＲＡＭ２０７に展開して実行することで、各種の処理を行う。また、これらのプログラムは、コンピュータ２００を図１に示した受付部１３１と、生成部１３２と、取得部１３３と、判定部１３４と、推定部１３５と、出力制御部１３６として機能させることができる。
【００９２】
なお、上記の保全地域推定プログラムは、必ずしもハードディスク装置２０８に記憶されている必要はない。例えば、コンピュータ２００が読み取り可能な記憶媒体に記憶されたプログラムを、コンピュータ２００が読み出して実行するようにしてもよい。コンピュータ２００が読み取り可能な記憶媒体は、例えば、ＣＤ−ＲＯＭ（Compact  Disc  Read  Only  Memory）やＤＶＤ、ＵＳＢ（Universal  Serial  Bus）メモリ等の可搬型記録媒体、フラッシュメモリ等の半導体メモリ、ハードディスクドライブ等が対応する。また、公衆回線、インターネット、ＬＡＮ等に接続された装置にこの保全地域推定プログラムを記憶させておき、コンピュータ２００がこれらから保全地域推定プログラムを読み出して実行するようにしてもよい。
【００９３】
以上、本実施例を含む実施の形態に関し、さらに以下の付記を開示する。
【００９４】
（付記１）保護対象の動物種の入力を受け付け、
受け付けた前記動物種の生息域および餌を示す情報を取得し、
取得した前記動物種の餌を示す情報から、前記動物種の餌が動物を含むか否かを判定し、
前記動物種の餌が動物を含むと判定された場合、前記餌となる動物種の生息域を示す情報をさらに取得し、
取得した前記保護対象の動物種の生息域および前記動物種の餌となる動物種の生息域に基づいて、前記保護対象の動物種を保護するために必要な保全地域を推定する、
処理をコンピュータに実行させるための保全地域推定プログラム。
【００９５】
（付記２）前記保護対象の動物種を保護するために必要な保全地域の推定結果として、取得した前記保護対象の動物種の生息域および前記動物種の餌となる動物種の生息域を表示する、
処理をさらにコンピュータに実行させるための付記１に記載の保全地域推定プログラム。
【００９６】
（付記３）前記表示する処理は、取得した前記保護対象の動物種の生息域および前記動物種の餌となる動物種の生息域を区別して表示する、
ことを特徴とする付記２に記載の保全地域推定プログラム。
【００９７】
（付記４）前記表示する処理は、前記保護対象の動物種の餌となる動物種が複数ある場合、前記保護対象の動物種を保護するために必要な保全地域の推定結果として、前記取得した前記保護対象の動物種の生息域および前記動物種の餌となる複数の動物種の生息域を表示する、
ことを特徴とする付記２に記載の保全地域推定プログラム。
【００９８】
（付記５）前記保護対象の動物種の餌となる動物種の餌を示す情報を取得し、
前記餌となる動物種の餌が動物を含むか否かをさらに判定し、
前記餌となる動物種の餌が動物を含むと判定された場合、前記餌となる動物種の餌となる動物種の生息域を示す情報をさらに取得する、
処理をさらにコンピュータに実行させ、
前記推定する処理は、前記取得した前記保護対象の動物種の生息域、前記動物種の餌となる動物種の生息域、および、前記餌となる動物種の餌となる動物種の生息域を示す情報に基づいて、前記保護対象の動物種を保護するために必要な保全地域を推定する、
ことを特徴とする付記１に記載の保全地域推定プログラム。
【００９９】
（付記６）前記動物種の生息域は、所定の地域の植生の分布を示すデータと、前記動物種の生息に適した植生を示す情報とに基づき算出された前記動物種の生息可能域である、
ことを特徴とする付記１に記載の保全地域推定プログラム。
【０１００】
（付記７）前記動物種の生息域は、所定の地域の地形を示すデータと、前記動物種の生息に適した地形を示す情報とに基づき算出された前記動物種の生息可能域である、
ことを特徴とする付記１に記載の保全地域推定プログラム。
【０１０１】
（付記８）前記動物種の生息域は、所定の地域の植生の分布および地形を示すデータと、前記動物種の生息に適した植生および地形を示す情報とに基づき算出された、前記動物種の複数の生息可能域を連結させた領域である、
ことを特徴とする付記１に記載の保全地域推定プログラム。
【０１０２】
（付記９）保護対象の動物種の入力を受け付け、
前記受け付けた動物種の生息域および餌を示す情報を取得し、
取得した前記動物種の餌を示す情報から、前記動物種の餌が動物を含むか否かを判定し、
前記動物種の餌が動物を含むと判定された場合、前記餌となる動物種の生息域を示す情報をさらに取得し、
取得した前記保護対象の動物種の生息域および前記動物種の餌となる動物種の生息域に基づいて、前記保護対象の動物種を保護するために必要な保全地域を推定する、
処理をコンピュータが実行することを特徴とする保全地域推定方法。
【０１０３】
（付記１０）前記保護対象の動物種を保護するために必要な保全地域の推定結果として、取得した前記保護対象の動物種の生息域および前記動物種の餌となる動物種の生息域を表示する、
処理をさらにコンピュータが実行することを特徴とする付記９に記載の保全地域推定方法。
【０１０４】
（付記１１）前記表示する処理は、前記取得した前記保護対象の動物種の生息域および前記動物種の餌となる動物種の生息域を区別して表示する、
ことを特徴とする付記１０に記載の保全地域推定方法。
【０１０５】
（付記１２）前記表示する処理は、前記保護対象の動物種の餌となる動物種が複数ある場合、前記保護対象の動物種を保護するために必要な保全地域の推定結果として、前記取得した前記保護対象の動物種の生息域および前記動物種の餌となる複数の動物種の生息域を表示する、
ことを特徴とする付記１０に記載の保全地域推定方法。
【０１０６】
（付記１３）前記保護対象の動物種の餌となる動物種の餌を示す情報を取得し、
前記餌となる動物種の餌が動物を含むか否かをさらに判定し、
前記餌となる動物種の餌が動物を含むと判定された場合、前記餌となる動物種の餌となる動物種の生息域を示す情報をさらに取得する、
処理をさらにコンピュータが実行し、
前記推定する処理は、前記取得した前記保護対象の動物種の生息域、前記動物種の餌となる動物種の生息域、および、前記餌となる動物種の餌となる動物種の生息域を示す情報に基づいて、前記保護対象の動物種を保護するために必要な保全地域を推定する、
ことを特徴とする付記９に記載の保全地域推定方法。
【０１０７】
（付記１４）前記動物種の生息域は、所定の地域の植生の分布を示すデータと、前記動物種の生息に適した植生を示す情報とに基づき算出された前記動物種の生息可能域である、
ことを特徴とする付記９に記載の保全地域推定方法。
【０１０８】
（付記１５）前記動物種の生息域は、所定の地域の地形を示すデータと、前記動物種の生息に適した地形を示す情報とに基づき算出された前記動物種の生息可能域である、
ことを特徴とする付記９に記載の保全地域推定方法。
【０１０９】
（付記１６）前記動物種の生息域は、所定の地域の植生の分布および地形を示すデータと、前記動物種の生息に適した植生および地形を示す情報とに基づき算出された、前記動物種の複数の生息可能域を連結させた領域である、
ことを特徴とする付記９に記載の保全地域推定方法。
【０１１０】
（付記１７）保護対象の動物種の入力を受け付ける受付部と、
受け付けた前記動物種の生息域および餌を示す情報を取得する第１の取得部と、
取得した前記動物種の餌を示す情報から、前記動物種の餌が動物を含むか否かを判定する判定部と、
前記判定部により前記動物種の餌が動物を含むと判定された場合、前記餌となる動物種の生息域を示す情報をさらに取得する第２の取得部と、
取得した前記保護対象の動物種の生息域および前記動物種の餌となる動物種の生息域に基づき、前記保護対象の動物種を保護するために必要な保全地域を推定する推定部と、
を有することを特徴とする保全地域推定装置。
【０１１１】
（付記１８）前記保護対象の動物種を保護するために必要な保全地域の推定結果として、前記取得した前記保護対象の動物種の生息域および前記動物種の餌となる動物種の生息域を表示する表示制御部、
をさらに有することを特徴とする付記１７に記載の保全地域推定装置。
【０１１２】
（付記１９）前記表示制御部は、取得した前記保護対象の動物種の生息域および前記動物種の餌となる動物種の生息域を区別して表示する、
ことを特徴とする付記１８に記載の保全地域推定装置。
【０１１３】
（付記２０）前記表示制御部は、前記保護対象の動物種の餌となる動物種が複数ある場合、前記保護対象の動物種を保護するために必要な保全地域の推定結果として、前記取得した前記保護対象の動物種の生息域および前記動物種の餌となる複数の動物種の生息域を表示する、
ことを特徴とする付記１８に記載の保全地域推定装置。
【０１１４】
（付記２１）前記第１の取得部は、さらに、保護対象の動物種の餌となる動物種の餌を示す情報を取得し、
前記判定部は、さらに、前記餌となる動物種の餌が動物を含むか否かをさらに判定し、
前記第２の取得部は、さらに、前記餌となる動物種の餌が動物を含むと判定された場合、前記餌となる動物種の餌となる動物種の生息域を示す情報を取得し
前記推定部は、取得した前記保護対象の動物種の生息域、前記動物種の餌となる動物種の生息域、および、前記餌となる動物種の餌となる動物種の生息域を示す情報に基づいて、前記保護対象の動物種を保護するために必要な保全地域を推定する、
ことを特徴とする付記１７に記載の保全地域推定装置。
【０１１５】
（付記２２）前記動物種の生息域は、所定の地域の植生の分布を示すデータと、前記動物種の生息に適した植生を示す情報とに基づき算出された前記動物種の生息可能域である、
ことを特徴とする付記１７に記載の保全地域推定装置。
【０１１６】
（付記２３）前記動物種の生息域は、所定の地域の地形を示すデータと、前記動物種の生息に適した地形を示す情報とに基づき算出された前記動物種の生息可能域である、
ことを特徴とする付記１７に記載の保全地域推定装置。
【０１１７】
（付記２４）前記動物種の生息域は、所定の地域の植生の分布および地形を示すデータと、前記動物種の生息に適した植生および地形を示す情報とに基づき算出された、前記動物種の複数の生息可能域を連結させた領域である、
ことを特徴とする付記１７に記載の保全地域推定装置。
【符号の説明】
【０１１８】
１００  推定装置
１１０  通信部
１１１  表示部
１１２  操作部
１１３  入出力部
１２０  記憶部
１２１  植生地形情報
１２２  生息適性環境情報
１３０  制御部
１３１  受付部
１３２  生成部
１３３  取得部
１３４  判定部
１３５  推定部
１３６  出力制御部
【図１】
2019120968.tif 000003
【図２】
2019120968.tif 000004
【図３】
2019120968.tif 000005
【図４】
2019120968.tif 000006
【図５】
2019120968.tif 000007
【図６】
2019120968.tif 000008
【図７】
2019120968.tif 000009
【図８】
2019120968.tif 000010
【図９】
2019120968.tif 000011
【図１０】
2019120968.tif 000012
【図１１】
2019120968.tif 000013
【図１２】
2019120968.tif 000014